(57)【要約】【課題】激しい動きや強風などでマスクが外れてしまうのを防止することが可能なマスクを提供する。【解決手段】本考案に係るマスク１０は、鼻から首にかけて覆うことが可能なマスク本体１と、マスク本体１の両側端部にそれぞれ取り付けられた一対の耳掛け部材２と、一端がマスク本体１の一方の側端部に連結され、他端がマスク本体１の他方の側端部に連結された紐３とを有し、紐３は、装着時においてマスク本体１越しに顎に引っ掛けることが可能である。【選択図】図１
0003230206.tif 000002
【実用新案登録請求の範囲】
【請求項１】
鼻から首にかけて覆うことが可能なマスク本体と、
前記マスク本体の両側端部にそれぞれ取り付けられた一対の耳掛け部材と、
一端が前記マスク本体の一方の側端部に連結され、他端が前記マスク本体の他方の側端部に連結された紐とを有し、
前記紐は、装着時において前記マスク本体越しに顎に引っ掛けることが可能であるマスク。
【請求項２】
前記マスク本体には、首の後ろ側を覆う後布が連結されている請求項１に記載のマスク。
【請求項３】
前記紐は、当該紐の一端から他端に至る有効長さを調整する調整機構を備えている請求項１又は２に記載のマスク。
【請求項４】
前記マスク本体の鼻を覆う部分に形状保持機構が設けられている請求項１〜３のいずれか１項に記載のマスク。
【考案の詳細な説明】
【技術分野】
【０００１】
本考案は、マスクに関する。
【背景技術】
【０００２】
近年、登山や屋外スポーツなど野外で活動する際、日焼けを防止しようとする動きが盛んに見られるようになってきている。
また、近年、新型コロナウィルスやインフルエンザウィルス等の影響でスポーツの最中にもマスクをする傾向がある。
【０００３】
スポーツの最中などにおいて、鼻から首までの全面を覆い、日焼け防止を目的とするマスクが知られている（例えば、特許文献１参照）。また、装着用の紐とマスク本体とを分離し、マスクの脱着を容易にするマスクも知られている。
【先行技術文献】
【特許文献】
【０００４】
【特許文献１】特許第５２６０７８号公報
【特許文献２】特開平１１−１５１３１２号公報
【考案の概要】
【考案が解決しようとする課題】
【０００５】
しかしながら、従来のマスクでは、平常時には日焼けは十分に防げても、スポーツの際に、マスクがめくれてしまったり、マスクが外れてしまったりして、マスクとしての機能を十分に発揮するものではなかった。
【０００６】
そこで、本考案は、激しい動きや強風などでマスクが外れてしまうのを防止することが可能なマスクを提供することを目的とする。
【課題を解決するための手段】
【０００７】
本考案は、鼻から首にかけて顔を覆うことが可能なマスク本体と、
前記マスク本体の両側端部にそれぞれ取り付けられた一対の耳掛け部材と、
一端が前記マスク本体の一方の側端部に連結され、他端が前記マスク本体の他方の側端部に連結された紐とを有し、
前記紐は、装着時において前記マスク本体越しに顎に引っ掛けることが可能であるマスクである。
【０００８】
このようなマスクにおいて、前記マスク本体には、首の後ろ側を覆う後布が連結されていることが好ましい。
【０００９】
また、マスクにおいて、前記紐は、当該紐の一端から他端に至る有効長さを調整する調整機構を備えていることが好ましい。
【００１０】
また、マスクにおいて、前記マスク本体の鼻を覆う部分に形状保持機構が設けられていることが好ましい。
【考案の効果】
【００１１】
本考案によれば、激しい動きや強風などでマスクが外れてしまうのを防止することが可能なマスクを提供することができる。
【図面の簡単な説明】
【００１２】
【図１】本考案の一実施形態に係るマスクの構成を示す斜視図である。
【図２】図１に示すマスクを装着した状態を示す図である。
【図３】図１のマスクを装着した際の紐の位置を示す図である。
【考案を実施するための形態】
【００１３】
以下、本考案に係るマスクの好適な実施形態について説明する。
図１は、本考案の一実施形態に係るマスクの構成を示す平面図、図２は、図１に示すマスクを装着した状態を示す図、図３は、図１のマスクを装着した際の紐の位置を示す図である。
本実施形態のマスク１０は、図１、２に示すように、マスク本体１と、２つの耳掛け部材２と、紐３と、後布４とを備えている。
マスク本体１は、略矩形状をなしており、鼻から首にかけて覆うことが可能な大きさの生地で構成されている。
【００１４】
マスク本体１を構成する生地としては、パイル地、シャーリング地、表ガーゼ織地、朱子織地、ワッフル織地、無撚糸地、マイクロファイバー等を用いることができる。また、冷感を呈する生地を使用してもよい。ここで冷感を呈する生地とは、肌が触れた際に肌の熱を生地に素早く移動させることができる熱伝導率や熱拡散率が高い生地（接触冷感に優れる生地）や、肌の汗を吸い取ったり、水に浸したりして生地に水分を含ませ、その水分を素早く蒸発させて気化熱を急速に奪うことができる生地を意味する。また、上記生地のうちから、表生地用、裏生地用等に分けて選択することもできる。
なお、マスク本体１には、表裏が有ってもよいし、無くてもよい。
【００１５】
また、マスク本体１の鼻を覆う部分に形状保持機構１１が設けられている。
この形状保持機構１１は、塑性変形によりマスク本体１を接触面（鼻等のフェイスライン）に添わすことができる。これにより、マスク１０を装着した際に、息が鼻方向に漏れ出すのを防止することができ、眼鏡等が曇るのを効果的に防止することができる。
形状保持機構１１を構成する材料としては、特に限定されず、例えば、アルミなどの軟質金属を用いることができる。
【００１６】
２つの耳掛け部材２は、紐状の部材で構成され、それぞれ、マスク本体１の側端部（左右の辺）の上部に、輪を形成するように取り付けられている。耳掛け部材２の輪の中に耳を挿入することで、マスク本体１（マスク１０）が顔に装着される。
【００１７】
紐３は、一端がマスク本体１の一方の側端部の上部に連結され、他端がマスク本体１の他方の側端部の上部に連結されている。
また、紐３には、図示のように、アジャスター（調整機構）３１が設けられている。
アジャスター３１は、紐３の一端から他端に至る有効長さを調整する機能を備えている。本実施形態のアジャスター３１は、紐３に対してスライドさせることが可能であり、またスライド後はその位置で紐３に保持されるものであって、これにより紐３の有効長さを調整することができる。
紐３は、図２及び図３（ａ）に示すように、マスク１０を装着した状態で、アジャスター３１で長さを調節することにより、マスク本体１越しに（マスク本体１の上から）顎に引っ掛けることが可能である。このように顎に引っ掛けてアジャスター３１を絞ることにより、顔の形に添ったシャープな印象を与えるとともに、マスク１０のずれを防止することができる。
【００１８】
また、紐３を図３（ｂ）のように後頭部に引っ掛けたり、図３（ｃ）のように前頭部に引っ掛けたりすることもできる。これにより、マスクが斜め上方向に引っ張られ、耳掛け部材２の耳への負担を軽減することができる。また、図３（ｂ）及び図３（ｃ）のように帽子を被った状態で、後頭部や前頭部（帽子のつば）に紐３を引っ掛けることで、強風時などで帽子が飛んでしまうのを効果的に防止することができる。
紐３は、ゴム、織布、不織布等で構成されている。なお、紐３は、伸縮性があっても伸縮性がなくてもよい。
【００１９】
後布４は、マスク１０を装着した際に、首の後ろ側を覆い、首の後ろ側が日焼けするのを防止する機能を有している。
後布４は略矩形状をなしており、左右の辺が、それぞれ、マスク本体１の左右の辺に連結（縫製）されている。
本実施形態では、後布４は、マスク本体１の左右の耳掛け部材２の下部から所定の長さでマスク本体１と連結（縫製）されている。このように後布４の左右の辺の一部をマスク本体１と縫製することで、首の後ろ側が日焼けするのを防止しつつ、マスク１０内に空気を効果的に流入させることができる。これにより、マスク１０は良好な装着感を与えることができる。
【００２０】
以上説明したようなマスク１０によれば、鼻から首にかけて確実に保護することができ、激しい動きや強風などでマスク１０が外れてしまうのを防止することができる。
【００２１】
以上、本考案のマスクについて具体的な実施形態に基づいて説明したが、本考案のマスクは、これまでに述べた実施形態に限定されるものではなく、実用新案登録請求の範囲に従う範疇で種々の変更を加えたものも含まれる。
【００２２】
例えば、前述した実施形態では、マスク１０が後布４を有する場合について説明したが、後布４は無くてもよい。
【００２３】
また、前述した実施形態では、マスク本体１に形状保持機構１１が設けられている場合について説明したが、形状保持機構１１は無くてもよい。
【００２４】
また、前述した実施形態では、紐３にアジャスター３１が設けられている場合について説明したが、紐３が伸縮性を備えている場合には、アジャスター３１は無くてもよい。
【符号の説明】
【００２５】
１                マスク本体
２                耳掛け部材
３                紐
４                後布
１０              マスク
１１              形状保持機構
３１              アジャスター
【図１】
0003230206.tif 000003
【図２】
0003230206.tif 000004
【図３】
0003230206.tif 000005